(57)【要約】【課題】足元周辺を照明する光源と、この光源の電源用電池を収納し一側面部に取付板を有する電源ボックスとを備え、この取付板外面を支柱側面に接して螺着させることにより電源ボックスが支柱に取り付けられる足元灯において、電源ボックスがぐらつくことがないとともに取付施工性の向上した足元灯を提供すること。【解決手段】この取付板３の横幅を支柱５横幅より幅広に形成するとともに、取付板３外面の支柱両側位置に支柱５を挟持する両側凸片６を突設することにより、取付板外面を支柱側面に接して螺着させたときに、両側凸片が支柱を挟持して取付板が支柱横方向にずれることがなく、電源ボックスのぐらつきを防止する。【選択図】　図１
2004027625.tif 000002
【特許請求の範囲】
【請求項１】
足元周辺を照明する光源と、この光源の電源用電池を収納し一側面部に取付板を有する電源ボックスとを備え、この取付板外面を支柱側面に接して螺着させることにより電源ボックスが支柱に取り付けられる足元灯において、この取付板の横幅を支柱横幅より幅広に形成するとともに、取付板外面の支柱両側位置に支柱を挟持する両側凸片を突設してなることを特徴とする足元灯。
【請求項２】
光源と電源ボックスとを外部リード線を介し分割形成するとともに、光源と電源ボックスとのうち、一方に保持片を設け、この保持片を保持して光源と電源ボックスとを一体とする保持部を他方に設けてなることを特徴とする請求項１記載の足元灯。
【請求項３】
保持片を光源に設けるとともに、保持部を保持片が挿入保持される孔状に形成して電源ボックスに設け、この保持部を取付板の両側凸片間に配置してなることを特徴とする請求項２記載の足元灯。
【発明の詳細な説明】
【０００１】
【発明の属する技術分野】
本発明は、主に建物外の支柱や外壁面に取り付けられて足元を照らす足元灯に関するものである。
【０００２】
【従来の技術】
従来、図６に示すように、建物外部の階段の手すりの支柱５に取り付けられて階段の足元を照らす足元灯として、足元周辺を照明する光源２６と、この光源２６の電源用電池を収納し一側面部に取付板２７を有する電源ボックス２４とを備え、この取付板２７外面を支柱５側面に接して螺着させることにより電源ボックス２４が支柱５に取り付けられるものがある。
【０００３】
支柱５は、適宜の間隔を隔てた複数の階段上面の建物とは反対側の端部に連設され、上端に丸棒状の手すりが架設してある。また、支柱５は、例えば、階段の昇降方向の前側に前板５ａ、後側に後板５ｂ、および階段の横方向に両側板５ｃ，５ｄを有する略角筒状のものが用いられ、前板５ａおよび後板５ｂの両端部が階段横方向に延設されて横断面視略Ｈ字型に形成されている。また、支柱５の両側板５ｃ，５ｄには光源２６や電源ボックス２４を螺着するための固定孔５ｅ，５ｆが穿設されている。
【０００４】
光源２６は、光源本体として例えばＬＥＤが用いられ、取付金具２５を介して螺着により支柱５の内側の側板５ｃに取り付けられている。また、電源ボックス２４は、略箱状に形成され、ＬＥＤの電源用電池及びＬＥＤの発光制御回路ブロックとを内蔵している。取付板２７の略中央に取付ネジ２３の脚部が貫通する丸孔２８が設けられており、この丸孔２８を貫通する取付ネジ２３が支柱５の外側の側板５ｄの固定孔５ｆに螺着することにより、電源ボックス２４が支柱５に取り付けられるものである。また、光源２６は、電池に発光制御回路ブロックを経由して接続された外部リード線により接続されて電源供給されている。
【０００５】
電源ボックス２４を支柱５に固定するときは、支柱５の固定孔５ｆに取付板２７の丸孔２８を位置合わせした状態を保持したまま、丸孔２８に取付ネジの脚部を貫通させ、この脚部の雄ネジ部を固定孔５ｆの雌ネジ部に螺合させる。
【０００６】
このような足元灯では、夜間に電池より電源供給された光源２６が階段の足元を照らし出して、階段を安全に通行できるようにしている。
【０００７】
【発明が解決しようとする課題】
しかしながら上記足元灯では、取付板外面が支柱側面、すなわち前板および後板の外側端に接した状態で螺着させることにより電源ボックスが支柱に取り付けられているため、取付板が前板および後板の外側端に接した状態で横方向にすべって電源ボックスがぐらつくことがあるという問題がある。
【０００８】
本発明は、上記事由に鑑みてなされたものであり、その目的は、取付施工された電源ボックスがぐらつくことがない取付性の向上した足元灯を提供することにある。
【０００９】
【課題を解決するための手段】
請求項１記載の発明は、足元周辺を照明する光源と、この光源の電源用電池を収納し一側面部に取付板を有する電源ボックスとを備え、この取付板外面を支柱側面に接して螺着させることにより電源ボックスが支柱に取り付けられる足元灯において、この取付板の横幅を支柱横幅より幅広に形成するとともに、取付板外面の支柱両側位置に支柱を挟持する両側凸片を突設してなることを特徴として構成している。
【００１０】
このような足元灯では、取付板の横幅を支柱横幅より幅広に形成するとともに、取付板外面の支柱両側位置に支柱を挟持する両側凸片を突設しているので、取付板外面を支柱側面に接して螺着させたときに、両側凸片が支柱を挟持して取付板が支柱横方向にずれることがなく、電源ボックスのぐらつきを防止している。
【００１１】
また、請求項２記載の発明は、請求項１記載の発明において、光源と電源ボックスとを外部リード線を介し分割形成するとともに、光源と電源ボックスとのうち、一方に保持片を設け、この保持片を保持して光源と電源ボックスとを一体とする保持部を他方に設けてなることを特徴として構成している。
【００１２】
このような足元灯では、光源と電源ボックスとを外部リード線を介し分割形成するとともに、光源と電源ボックスとのうち、一方に保持片を設け、この保持片を保持して光源と電源ボックスとを一体とする保持部を他方に設けているため、分割形成された光源と電源ボックスとを支柱の異なる位置に取り付けることができるとともに、保持片を保持部に保持させることで、光源と電源ボックスとを一体に取り付けることもでき、現場の状況にあわせて光源と電源ボックスを分けるか一体とするかが選択でき、取付自由度が向上している。
【００１３】
また、請求項３記載の発明は、請求項２記載の発明において、保持片を光源に設けるとともに、保持部を保持片が挿入保持される孔状に形成して電源ボックスに設け、この保持部を取付板の両側凸片間に配置してなることを特徴として構成している。
【００１４】
このような足元灯では、光源の保持片を孔状の保持部に挿入保持させることで、光源を電源ボックスに保持させて一体化しており、保持部を取付板の両側凸片間に配置しているので、光源が支柱近傍に配置され収まりのよい外観の向上したものとなっている。
【００１５】
【発明の実施の形態】
以下、本発明の実施の形態の足元灯を図１乃至図５に基づいて説明する。
【００１６】
図１は、本発明の実施形態の足元灯の取付状態を示す要部の横断面図である。また、図２は、同上の足元灯の取付状態を示す外観図である。また、図３は、同上の足元灯を示す分解斜視図である。
【００１７】
図１乃至図３に示すように、この足元灯は、足元周辺を照明する光源１と、この光源１の電源用電池２を収納し一側面部に取付板３を有する電源ボックス４とを備え、この取付板３外面を支柱５側面に接して螺着させることにより電源ボックス４が支柱５に取り付けられるものであり、この取付板３の横幅を支柱５横幅より幅広に形成するとともに、取付板３外面の支柱両側位置に支柱５を挟持する両側凸片６を突設している。
【００１８】
また、光源１と電源ボックス４とを外部リード線７を介し分割形成するとともに、光源１と電源ボックス４とのうち、一方に保持片８ａを設け、この保持片８ａを保持して光源１と電源ボックス４とを一体とする保持部９を他方に設けている。
【００１９】
支柱５は、適宜の間隔を隔てた複数の階段２２上面の建物とは反対側の端部に昇降方向に連設され、各支柱５上端に丸棒状の手すり２１が架設してある。また、支柱５は、例えば、階段２２の昇降方向の降側に前板５ａ、昇側に後板５ｂ、および階段２２の横方向に両側板５ｃ，５ｄを有する略角筒状のものが用いられ、前板５ａおよび後板５ｂの両端部が階段２２横方向に延設されて横断面視略Ｈ字型に形成されている。また、支柱５の両側板５ｃ，５ｄには光源１や電源ボックス４を螺着するための固定孔５ｅ，５ｆが穿設されている。
【００２０】
電源ボックス４は、取付板３と、開口を有する略箱状のボックスカバー１１とから、ボックスカバー１１の開口に取付板３を蓋して略箱状に形成されており、光源１の電源用電池２及び光源１の発光制御回路ブロック１０とを内蔵している。
【００２１】
取付板３は、縦板３ｂと縦板３ｂ下端部に前方へ一体に突設した水平板３ｃとから構成されており、縦板３ｂ後面の両端部に上下方向の細板状の両側凸片６が一体に突設されている。両側凸片６間の隙間距離は、取り付ける支柱５の横幅、すなわち前板５ａおよび後板５ｂの両外側面間距離よりもやや幅広に形成され、両側凸片６ａ，６ｂ間に支柱５を挟持するようにしている。また、縦板３ｂ後面の中央部に横断面視略コ字型の保持部９が形成され、保持部９内に上面開口で長角孔形状の凹部を形成している。この保持部９の横幅は、支柱５の前板５ａ−後板５ｂ間の隙間距離よりも幅狭に形成され、両側凸片６と保持部９との隙間に支柱５の前板５ａおよび後板５ｂの端部を収納するようにしている。取付板３の略中央の上下に取付ネジ１３の脚部が貫通する丸孔３ａが設けられており、この丸孔３ａを貫通する取付ネジ１３が支柱５の外側の側板の固定孔５ｆに螺着することにより、電源ボックス４が支柱５に取り付けられるものである。
【００２２】
そして、電源ボックス４を支柱５に固定するときは、支柱５の固定孔５ｆに丸孔３ａを位置合わせした状態を保持したまま、丸孔３ａに取付ネジ１３の脚部を貫通させ、この脚部の雄ネジ部を固定孔５ｆの雌ネジ部に螺合させる。
【００２３】
発光制御回路ブロック１０は、光源１の点灯、消灯を制御するもので、取付板３の前面に設けたボスにその回路基板がネジ着されて固定されている。電池２は、例えば太陽電池１５の電力を蓄電する蓄電池２が用いられ、発光制御回路ブロック１０又は取付板３に固定されている。太陽電池１５は、支柱５に固定された取付具１６に支持されて手すり２１の外側に配置されており、太陽電池１５に発生した電力を外部リード線１７を通じて蓄電池２に蓄電するようにしている。また、蓄電池２の電力は、蓄電池２の電源端子から発光制御回路ブロック１０を経由して接続された外部リード線７に伝えられ、外部リード線７の先端部に接続された光源１に電源供給される。この２本の外部リード線７，１７は、取付板３の水平板３ｃに設けた取出孔を貫通して配線されるようにしている。
【００２４】
光源本体として例えばＬＥＤ１４が用いられ、このＬＥＤ１４を収納した照明ボックス１ａが支柱５の内側の側板に取付金具８を介して螺着により取り付けられている。ＬＥＤ１４の電源は、電源ボックス４内の電池２から外部リード線７介して供給されている。照明ボックス１ａは、前方に透明な照明カバーが設けた略箱状に形成され、内部に収納したＬＥＤ１４の照明が照明カバーを透光して前方を照らし出すようにしている。照明カバーの後部の左右に後述する取付金具８の鉛直板８ｂの前端部が収納される凹所１ｄが設けられ、照明カバーの後部の横方向に回転軸１ｃが貫通する軸孔が設けられている。
【００２５】
この照明カバーは取付金具８を介して支柱５の内側の両側板５ｃにネジ着されている。取付金具８は、長方形板状の保持片８ａと、この保持片８ａの上部左右端に前方に一体に突設した対向する鉛直板８ｂとから形成されている。保持片８ａには、取付ネジ１２の脚部を貫通する大きさの丸孔８ｄが上下に設けられている。保持片８ａの横幅は外側の両側板５ｄの横幅よりも幅狭に形成され、保持片８ａ後面を外側の両側板５ｄ前面に密着させ、丸孔８ｄを支柱５の両側板の固定孔５ｅに位置合わせし、取付ネジ１２の脚部を前方から丸孔８ｄに挿入し、固定孔５ｅに螺着することにより、取付金具８を支柱５に固定するようにしている。
【００２６】
また、鉛直板８ｂ前端部の対向する位置には軸貫通孔８ｃが設けられており、鉛直板８ｂ前端部を凹所１ｄに収納し、軸孔およびこの軸貫通孔８ｃを回転軸１ｃが貫通固定することで、照明ボックス１ａと取付金具８とを枢着し、照明ボックス１ａを回転軸１ｃ回りに回転可能としている。この回転は回転軸１ｃ両端に設けた角度調整つまみ１ｂを手で回すことにより行われる。
【００２７】
このような足元灯では、取付板３の横幅を支柱５横幅より幅広に形成するとともに、取付板３外面の支柱両側位置に支柱５を挟持する両側凸片６を突設しているので、取付板３外面を支柱５側面に接して螺着させたときに、両側凸片６が支柱５を挟持して取付板３が支柱５横方向にずれることがなく、電源ボックス４のぐらつきを防止している
【００２８】
また、図４は、同上の足元灯の異なる取付状態を示す要部の横断面図である。図４に示すように、前述した足元灯は支柱５以外にも壁面２０にも取り付けることができる。この場合、両側凸片６の先端を壁面２０に密着させ、取付板３の丸孔３ａを壁面２０に設けたネジ孔に位置合わせし、取付ネジ１３の脚部を前方から丸孔３ａに貫通させ、ネジ孔に螺着することで電源ボックス４を壁面２０に取り付け施工できる。なおこの場合、両側凸片６によって壁面２０と取付板３との間に隙間が形成されており、壁面２０を伝い落ちる雨滴がこの隙間を通って電源ボックス４下方に流れ落ちるため、雨滴が電源ボックス４にかかりにくくなり、電源ボックス４の防水性が向上している。
【００２９】
また、図５は、同上の足元灯の異なる取付状態を示す要部の斜視図である。図５に示すように、光源１に保持片８ａを設け、電源ボックス４にこの保持片８ａが挿入できる大きさの凹部を有する保持部９が形成されているので、この凹部に保持片８ａを開口部から差し入れることにより、電源ボックス４と光源１とを一体に取りつけることができる。
【００３０】
このような足元灯では、光源１と電源ボックス４とを外部リード線７を介し分割形成するとともに、光源１と電源ボックス４とのうち、一方に保持片８ａを設け、この保持片８ａを保持して光源１と電源ボックス４とを一体とする保持部９を他方に設けているため、分割形成された光源１と電源ボックス４とを支柱５の異なる位置に取り付けることができるとともに、保持片８ａを保持部９に保持させることで、光源１と電源ボックス４とを一体に取り付けることもでき、現場の状況にあわせて光源１と電源ボックス４を分けるか一体とするかが選択でき、取付自由度が向上している。
【００３１】
また、光源１の保持片８ａを孔状の保持部９に挿入保持させることで、光源１を電源ボックス４に保持させて一体化している。そして、保持部９を取付板３の両側凸片６ａ，６ｂ間に配置しているので、光源１が支柱５近傍に配置され収まりのよい外観の向上したものとなっている。
【００３２】
【発明の効果】
請求項１の発明では、取付板の横幅を支柱横幅より幅広に形成するとともに、取付板外面の支柱両側位置に支柱を挟持する両側凸片を突設しているので、取付板外面を支柱側面に接して螺着させたときに、両側凸片が支柱を挟持して取付板が支柱横方向にずれることがなく、電源ボックスのぐらつきを防止している。
【００３３】
また、請求項２の発明では、光源と電源ボックスとを外部リード線を介し分割形成するとともに、光源と電源ボックスとのうち、一方に保持片を設け、この保持片を保持して光源と電源ボックスとを一体とする保持部を他方に設けているため、分割形成された光源と電源ボックスとを支柱の異なる位置に取り付けることができるとともに、保持片を保持部に保持させることで、光源と電源ボックスとを一体に取り付けることもでき、現場の状況にあわせて光源と電源ボックスを分けるか一体とするかが選択でき、取付自由度が向上している。
【００３４】
また、請求項３の発明では、保持部を取付板の両側凸間に配置しているので、光源が支柱近傍に配置され収まりのよい外観の向上したものとなっている。
【図面の簡単な説明】
【図１】本発明の実施形態の足元灯の取付状態を示す要部の横断面図である。
【図２】同上の足元灯の取付状態を示す外観図である。
【図３】同上の足元灯を示す分解斜視図である。
【図４】同上の足元灯の異なる取付状態を示す要部の横断面図である。
【図５】同上の足元灯の異なる取付状態を示す要部の斜視図である。
【図６】従来の足元灯の取付状態を示す要部の横断面図である。
【符号の説明】
１　　光源
１ａ　　照明ボックス
１ｂ　　角度調整つまみ
１ｃ　　回転軸
１ｄ　　凹所
２　　電池
３　　取付板
３ａ　　丸孔
３ｂ　　縦板
３ｃ　　水平板
４　　電源ボックス
５　　支柱
５ａ　　前板
５ｂ　　後板
５ｃ　　内側の両側板
５ｄ　　外側の両側板
５ｅ　　固定孔
５ｆ　　固定孔
６　　両側凸片
７　　外部リード線
８　　取付金具
８ａ　　保持片
８ｂ　　鉛直板
８ｃ　　軸貫通孔
８ｄ　　丸孔
９　　保持部
１０　　発光制御回路ブロック
１１　　ボックスカバー
１２　　取付ネジ
１３　　取付ネジ
１４　　ＬＥＤ
１５　　太陽電池
１６　　取付具
１７　　外部リード線
２０　　壁面
２１　　手すり
２２　　階段
【図１】
2004027625.tif 000003
【図２】
2004027625.tif 000004
【図３】
2004027625.tif 000005
【図４】
2004027625.tif 000006
【図５】
2004027625.tif 000007
【図６】
2004027625.tif 000008